(57)【要約】【課題】押印用パッドとしての機能を有する板状体を手紙の媒体として利用できるようにした郵便セットを提供する。【解決手段】本発明は、押印用パッドとしての機能を有する板状体と、該板状体と同数の宛名用シール体とからなり、特に、板状体がプラスチック発泡体とレザー、プラスチック発泡体とプラスチック板、レザーとプラスチック板とをそれぞれ貼り合わせてなる。前記板状体と前記宛名用シール体とは、ポストに投函するまでの手順を印刷した外袋に同封しておき、コンビニエンスストアーやデパートなどで小売販売ができるように構成した。【選択図】図１
2005212296.tif 000002
【特許請求の範囲】
【請求項１】
押印用パッドとしての機能を有する板状体と、該板状体の一面に貼る宛名用シール体とからなることを特徴とする郵便セット。
【請求項２】
前記板状体と前記宛名用シール体との１セット以上を、郵送手順を表示した外袋に同封したことを特徴とする請求項１又は２に記載の郵便セット。
【発明の詳細な説明】
【技術分野】
【０００１】
本発明は、押印用パッドとしての機能を有する板状体（実用品）が季節の便りとともに手軽に郵送できるようにした郵便セットに関するものである。
【背景技術】
【０００２】
一般に、宅配便や郵便の受け取り時における押印用パッドは、明瞭な印影で印鑑を押すために玄関や会社の受付での必需品である。特に、家庭においては、テレビショッピングや通販雑誌による商品購入の機会が増えている時代にあって、一層重要度を増している。もっとも、明瞭な印影よりも受け取ったことがわかればよいと考えている者にとっては手近にある雑誌や新聞など一定の厚みとクッション性のある物で代用することもできる。
【発明の開示】
【発明が解決しようとする課題】
【０００３】
しかしながら、押印用パッドの代用品である雑誌や新聞などは、宅配便や郵便の受け取りに際し、玄関や会社の受付周辺にないこともあり、これを探すために印鑑を片手に部屋内を駆け回ることも多々あった。また、雑誌や新聞などを押印用パッドの代用品として使うとき、たまたま雑誌や新聞紙の管理が悪く、多数の折皺のために明瞭な印影にならず、何回も印鑑を押し直しをする失敗もあった。
【０００４】
本発明は上記の点に鑑み案出したもので、その目的とするところは、押印用パッドとしての機能を有する板状体を郵送媒体として利用できるようにした点にある。また、他の目的は、心の便りである手紙と玄関の必需品である押印用パッド（実用品）とをマッチングさせた点にある。
【課題を解決するための手段】
【０００５】
上記目的を達成するため、本発明は、押印用パッドとしての機能を有する板状体と、該板状体の一面に貼る宛名用シール体とからなることを特徴とし、押印用パッドとなる板状体が手軽に郵送でき、しかも、送った先の玄関や受付などの目立つ場所で使用されるところの送り主側の宣伝効果も期待できるように構成したものである。
【０００６】
また、請求項２に記載の発明は、前記板状体と前記宛名用シール体との１セット以上を郵送手順を表示した外袋に同封したことを特徴とし、コンビニエンスストアーやデパートなどでの小売販売が可能なように構成したものである。
【発明の効果】
【０００７】
本発明に係る郵便セットは、押印用パッドとしての機能を有する板状体と、該板状体の一面に貼る宛名用シール体とからなることを特徴としているから、板状体に宛名用シール体を貼り、宛名や差出人を明記して切手を貼ってポストに投函するだけで、実用品である押印用パッドを手軽に郵送できること、また、送った先では玄関や受付などの目立つ場所に置いて使用することとなり、送り主側をして極めて有効な宣伝効果が期待できるという優れた効果を奏するものである。
【０００８】
また、請求項２に記載の発明に係る郵便セットは、前記板状体と前記宛名用シール体との１セット以上を郵送手順を表示した外袋に同封したことを特徴としているから、コンビニエンスストアーやデパートなどでの小売販売が可能となるという優れた効果を奏するものである。
【発明を実施するための最良の形態】
【０００９】
次に、本発明の実施の態様を図面に基いて説明する。図１は本願郵便セットを示す斜視図、図２は本願郵便セットの板状体及び宛名シール体の拡大断面図、図３は板状体に宛名用シール体を貼った状態を示す斜視図、図４は押印用パッドとしての使用状態を示す斜視図、図５は板状体の１つの縁に接続用の凹凸を設けた場合の斜視図である。
【００１０】
本願郵便セット１は、押印用パッドとしての機能を有する板状体２と、該板状体２に貼る宛名用シール体３とからなる。これら板状体２と宛名用シール体３とはコンビニエンスストアーやデパートなどでの小売販売のために郵送手順が施されている外袋４に同封した商品として構成することもある。
【００１１】
前記板状体２は、代表的にはプラスチック発泡体２ａとレザー２ｂとを貼り合わせてなる。プラスチック発泡体２ａは一定の厚みとクッション性を確保するためのものであり、実施例ではポリエチレン発泡体を用いている。該発泡体は高発泡のものか低発泡のものかは問わない。勿論、ポリエチレン以外の他の発泡体を利用してもよい。
【００１２】
前記板状体２のレザー２ｂを貼った面は押印用パッド面となり、レザー２ｂが貼られない面はプラスチック発泡体２ａに腰を与えるために硬質フィルムあるいは滑り性を規制するためのエンボス加工を施した軟質フィルムなどのソリッドフィルム面２ａ′になっている（図２参照）。
【００１３】
前記レザー２ｂは、皮革（本物の革）でも、また、織編布を基布とし合成樹脂を表面層とする合成皮革のいずれで構成してもよい。特に、スエード調衣料用素材を利用すると高級感があってより優れている。
【００１４】
前記板状体２は、前述の如く、プラスチック発泡体２ａとレザー２ｂとを貼り合わせてなるが、これ以外に、前記レザーが厚手であって、単独で押印用パッドとしての機能を有するときは、貼り合わせる相手はプラスチック薄板（ソリッド板）でよい。また、レザーを使わないで、プラスチック発泡体とプラスチック薄板との貼り合わせで構成してもよいことは勿論である。
【００１５】
前記宛名用シール体３は、表面に、少なくとも、宛名欄Ａ、差出人欄Ｂを備えた表面層３ａと、該表面層３ａの裏面に塗布した接着剤層３ｂと、該接着剤層３ｂに仮着した剥離紙３ｃとからなる。この場合、表面層３ａは筆記性能があれば、紙でもプラスチックでもその他の素材でも利用できる。また、接着剤層３ｂに使用する接着剤は、一般市販のシールに用いられているもの、たとえば、エボキシ系、シアノアクリレート系のものを利用して満足できる。
【００１６】
前記宛名用シール体３には、コメント欄Ｃ、切手を貼るための欄Ｄ、及び郵便番号欄Ｅなどを設けておくとよい。なお、図示していないが、送った先において、玄関や受付などの目立つ場所に押印用パッドとして置かれることを想定し、押印用パッド面（たとえばレザー面）に送り主側を宣伝するための企業や団体名、たとえば「○○病院」、「△△株式会社」、「▽▽法人▽▽会」、「□□銀行□□支点」やその企業や団体の宣伝コピーを印刷することもある。
【００１７】
前記外袋４は、透明材料あるいは非透明材料で構成してもよい。この外袋４は封筒式に構成し、フラップ４ａを折り返したときに筒部４ｂに感圧接着剤４ｃを介して仮着するように構成しておくと便利である。また、外袋４には、たとえば、絵４′と文字４″とで、宛名用シール体の裏面の剥離紙を剥がして板状体に貼ること、該宛名用シール体の表面に宛名書きと切手を貼ること、ポストに投函することの郵送手順が印刷されているとよい。この印刷は外袋４に直に印刷するほか、外袋４が透明材料であるときは、別の紙などに印刷したものを装入するだけでもよい。
【００１８】
前記外袋４内に収容する板状体２の枚数は、１枚でも２枚以上でもよい。小売値段を考慮して決定される。２枚以上の板状体２を入れる場合には、前記宛名用シール体３もそれと同数であることを要する。板状体２と宛名用シール体３とは常に１：１であることを必要とする。
【００１９】
次に、本願郵便セット１の利用方法を説明する。まず、押印用パッドとしての機能を有する板状体２に宛名用シール体３を貼る。この場合、宛名用シール体３の剥離紙３ｃを剥がして接着剤層３ｃを露出させる。次いで、板状体２のプラスチック発泡体２ａの露出面かソリッド面２ａ′の外面に貼るようにする。板状体２のレザー２ｂの面は押印用パッド面となるから、この面に宛名用シール体３を貼ることは避けた方がよい。
【００２０】
次いで、宛名用シール体３の表面の宛名欄Ａに宛名を、差出人欄Ｂに自分の住所氏名をそれぞれ書き込み、コメント欄Ｃに挨拶など、相手に伝えたい「便り」を、図３の如く書き、所定の箇所に切手を貼ってポストに投函する。
【００２１】
このようにして宛名用シール体３が貼られた板状体２を受領した者は、レザー２ｂの面を上にして玄関カウンター（図示せず）上に置くと、図４の如く、宅配便や郵便の受取票ａに、印鑑ｂを押すための押印用パッドとして使用できる。この場合に、宛名用シール体３を貼った面は、裏側となるので、特に、剥がさなくても使用上差し障りになることはない。
【００２２】
なお、前記板状体２は、その１つの縁（又は両縁）に図５の如く、接続用の凹凸５を設けておくことにより、押印用パッドやマウスパッドとして板状体２をより広い面積で使用できるようにすることもある。
【産業上の利用可能性】
【００２３】
本願郵便セット１の、板状体２のレザー２ｂは上記の如く押印用パッドの他、コンピーター用のマウスパッドとしても利用可能である。
【図面の簡単な説明】
【００２４】
【図１】本願郵便セットを示す斜視図である。
【図２】本願郵便セットの板状体及び宛名シール体の拡大断面図である。
【図３】板状体に宛名用シール体を貼った状態を示す斜視図である。
【図４】押印用パッドとして使用状態を示す斜視図である。
【図５】板状体の１つの縁に接続用の凹凸を設けた場合の斜視図である。
【符号の説明】
【００２５】
１  本願郵便セット
２  板状体
２ａ  プラスチック発泡体
２ａ′  ソリッド面
２ｂ  レザー
３  宛名用シール体
３ａ  表面層
３ｂ  接着剤層
３ｃ  剥離紙
４  外袋
４ａ  フラップ
４ｂ  筒部
４ｃ  感圧接着剤
４′  絵
４″  文字
Ａ  宛名欄
Ｂ  差出人欄
Ｃ  コメント欄
Ｄ  切手を貼るための欄
Ｅ  郵便番号欄
５  接続用の凹凸
【図１】
2005212296.tif 000003
【図２】
2005212296.tif 000004
【図３】
2005212296.tif 000005
【図４】
2005212296.tif 000006
【図５】
2005212296.tif 000007